(57)【要約】【課題】圧縮機の信頼性を向上させることが出来る空気調和装置を提供する。【解決手段】室外ユニット２と、前記室外ユニット２に接続された室内ユニット１から構成され、前記室外ユニット２は、室外熱交換器９と、圧縮機１１と、絞り装置１０を有し、前記室内ユニット１は、室内熱交換器３と、吹出口（図示せず）と、前記室内熱交換器３で熱交換された空気を前記吹出口から排出するファン（図示せず）と、前記吹出口に設けられ、吹き出し風の向きを変える半回転式上下風向ルーバー（図示せず）を備え、空気調和装置の運転停止時から、前記半回転式上下風向ルーバーの閉動作が終了するまでの間、前記圧縮機１１を運転するようにしたもので、圧縮機１１にかかる負荷が低減し、負担を減らすことにより圧縮機１１の信頼性を向上させることができる。【選択図】図５
2009121788.tif 000002
【特許請求の範囲】
【請求項１】
室外ユニットと、前記室外ユニットに接続された室内ユニットから構成され、前記室外ユニットは、室外熱交換器と、圧縮機と、絞り装置を有し、前記室内ユニットは、室内熱交換器と、吹出口と、前記室内熱交換器で熱交換された空気を前記吹出口から排出するファンと、前記吹出口に設けられ、吹き出し風の向きを変える半回転式上下風向ルーバーとを備え、空気調和装置の運転停止時から、前記半回転式上下風向ルーバーの閉動作が終了するまでの間、前記圧縮機を運転するようにしたことを特徴とする空気調和装置。
【発明の詳細な説明】
【技術分野】
【０００１】
本発明は、空気調和装置に関するもので、特に、空気調和装置の運転停止時から動作する半回転式上下風向ルーバーを有する空気調和装置に関するものである。
【背景技術】
【０００２】
従来、この種の空気調和装置について、図３〜７を用いて説明する。図３は、従来の空気調和装置の全体構成を示す図、図４は、同空気調和装置の室内ユニットの概略断面図、図５は、同空気調和装置の冷凍サイクル図である。
【０００３】
図３、４において、従来の空気調和装置は、室内ユニット１と室外ユニット２で構成されたセパレート型の空気調和装置で、この室内ユニット１は、空気を吸い込むために開閉装置６を使用して開閉されるパネル７と、室内熱交換器３と、室内熱交換器３により吸い込んだ空気と熱交換器３中の流体を熱交換し、熱交換された空気を吹出口４から排出するファン５を備えている。
【０００４】
室内ユニット１内部では、吸い込む空気をきれいにするために室内熱交換器３の吸い込み側にフィルタ８が設置されている。また、吹出口４には、上下に風向を変えて風の流れを調整する半回転式上下風向ルーバー１３が取り付けられている。
【０００５】
図５において、冷房時は、圧縮機１１から四方弁１２を通過し、室外熱交換器９、絞り装置１０、そして室内熱交換器３を通る回路である。暖房時は、圧縮機１１から四方弁１２を通過し、室内熱交換器３、絞り装置１０、そして室外熱交換器９を通る回路であり、一般的な冷凍サイクルと同様である。
【０００６】
次に、室内ユニット１に構成されたパネル７と半回転式上下風向ルーバー１３の開閉装置６について、以下その動作、作用を説明する。
【０００７】
室内ユニット１のパネル７は、空気調和装置が運転する場合、開閉装置６により開かれ、その後、室内ユニット１付近の空気を吸引してフィルタ８、そして室内熱交換器３を通過し、吹出口４からファン５により排出される。そして、空気調和装置が停止する場合に、開閉装置６により、パネル７は閉じられ、その後、半回転式上下風向ルーバー１３が閉じる。この室内ユニット１のパネル７と半回転式上下風向ルーバー１３は、近年意匠性の高い室内ユニット１を実現する為に、空気調和装置の運転停止時に閉じるようにして、意匠性の向上がはかられている。なお、かかる先行技術は文献公知発明のものではないため、記載すべき先行技術文献はない。
【０００８】
図６は、冷凍サイクルの一般的なＰ−Ｈ線図（モリエル線図）であるが、圧縮機１１の運転周波数を低減させることにより、空気調和装置の高圧（Ｈｐ）と低圧（Ｌｐ）との差が小さくなる。このため、圧縮機１１の運転周波数が大きい時に停止した場合と比較すると、圧縮機１１を遅延運転させて運転周波数を低減することにより、高圧と低圧との差を小さくさせて停止させることにより、停止時の圧縮機１１に対する負担が小さくなる。また、これら高圧と差圧が大きい場合に停止すると、圧縮機１１の負担が大きく異音などが発生する場合がある。
【０００９】
図７は、従来の空気調和装置の運転制御方法を示す図で、空気調和装置の運転停止信号がくると、室内ユニット１および室外ユニット２の圧縮機１１は即時停止するようになっていた。
【発明の開示】
【発明が解決しようとする課題】
【００１０】
しかしながら、上記従来の空気調和装置の構成では、冷房あるいは暖房運転時において運転停止時、室外ユニット２の圧縮機１１を即時停止させていた。この即時停止により圧縮機に負担がかかり停止時に何の保護もかけられていない。この制御方法では、圧縮機１１の信頼性が確保できないという課題を有していた。
【００１１】
本発明は、前記従来の課題を解決するもので、半回転式上下風向ルーバーが開閉する室内ユニットを有する空気調和装置において、運転停止時に室内ユニットが駆動している間は、室外ユニットの運転、つまり圧縮機運転を遅延させることにより、信頼性を向上させることができる空気調和装置を提供することを目的とする。
【課題を解決するための手段】
【００１２】
前記従来の課題を解決するために、本発明の空気調和装置は、室外ユニットと、前記室外ユニットに接続された室内ユニットから構成され、前記室外ユニットは、室外熱交換器と、圧縮機と、絞り装置を有し、前記室内ユニットは、室内熱交換器と、吹出口と、前記室内熱交換器で熱交換された空気を前記吹出口から排出するファンと、前記吹出口に設けられ、吹き出し風の向きを変える半回転式上下風向ルーバーとを備え、空気調和装置の運転停止時から、前記半回転式上下風向ルーバーの閉動作が終了するまでの間、前記圧縮機を運転するようにしたもので、圧縮機にかかる負荷が低減し、負担を減らすことにより圧縮機の信頼性を向上させることができる。
【発明の効果】
【００１３】
本発明の空気調和装置は、圧縮機にかかる負荷が低減し、負担を減らすことにより圧縮機の信頼性を向上させることができる。
【発明を実施するための最良の形態】
【００１４】
第１の発明は、室外ユニットと、前記室外ユニットに接続された室内ユニットから構成され、前記室外ユニットは、室外熱交換器と、圧縮機と、絞り装置を有し、前記室内ユニットは、室内熱交換器と、吹出口と、前記室内熱交換器で熱交換された空気を前記吹出口から排出するファンと、前記吹出口に設けられ、吹き出し風の向きを変える半回転式上下風向ルーバーとを備え、空気調和装置の運転停止時から、前記半回転式上下風向ルーバーの閉動作が終了するまでの間、前記圧縮機を運転するようにしたもので、圧縮機にかかる負荷が低減し、負担を減らすことにより圧縮機の信頼性を向上させることができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和装置の運転制御方法を示す図である。本実施の形態と、前記従来例とは、空気調和装置の運転制御方法のみ異なるもので、構成は同じなので、同一部分については、同一符号を付してその説明を省略する。
【００１７】
空気調和装置の運転停止時において、パネル７は、開閉装置６により閉じられるが、本実施の形態では、図１に示すように、空気調和装置の運転停止から、パネル７の運転停止時までの間、室外ユニット２の圧縮機１１の運転を遅延運転させるようにしたものである。また、空気調和装置の運転停止から半回転式上下風向ルーバー１３の運転停止までの間、室外ユニット２の圧縮機１１の運転を遅延運転させる。これにより圧縮機１１の運転周波数を低減させながら遅延運転することにより、圧縮機１１の負荷が低減した状態にて停
止させることができる。
【００１８】
また、室内ユニット１のパネル７の運転時（閉鎖時）および半回転式上下風向ルーバー１３の運転時（閉鎖時）において、室外ユニット２の圧縮機１１を運転することにより、室外ユニット２からの圧縮機１１の騒音などが室内ユニット１に侵入する侵入音などが聞こえにくくなる、つまりパネル７や半回転式上下風向ルーバー１３の駆動する騒音によりマスキング効果になる。
【００１９】
また、図２に示すように、圧縮機１１の遅延運転時に、圧縮機１１の運転を徐々に低減させて一定時間後に停止するようにすれば、圧縮機１１に加わる負担をさらに減少させて、圧縮機１１の信頼性を、さらに向上させることもできる。
【産業上の利用可能性】
【００２０】
以上のように、本発明にかかる空気調和装置は、圧縮機の信頼性を向上させることができるので、家庭用、業務用の各種空気調和装置に適用できる。
【図面の簡単な説明】
【００２１】
【図１】本発明の実施の形態１における空気調和装置の運転制御方法を示す図
【図２】同空気調和装置の運転制御方法の他の例を示す図
【図３】従来の空気調和装置の全体構成を示す図
【図４】同空気調和装置の室内ユニットの概略断面図
【図５】同空気調和装置及び実施の形態１における空気調和装置の冷凍サイクル図
【図６】従来の冷凍サイクルの一般的なＰ−Ｈ線図（モリエル線図）
【図７】同空気調和装置の運転制御方法を示す図
【符号の説明】
【００２２】
１  室内ユニット
２  室外ユニット
３  室内熱交換器
４  吹出口
５  ファン
６  開閉装置
７  パネル
８  フィルタ
９  室外熱交換器
１０  絞り装置
１１  圧縮機
１２  四方弁
１３  半回転式上下風向ルーバー
【図１】
2009121788.tif 000003
【図２】
2009121788.tif 000004
【図３】
2009121788.tif 000005
【図４】
2009121788.tif 000006
【図５】
2009121788.tif 000007
【図６】
2009121788.tif 000008
【図７】
2009121788.tif 000009